(57)【要約】【課題】  装飾部を装身具本体に対して脱着可能に形成し、デザインを容易に変更可能な装身具を提供することを課題とする。【解決手段】  装身具１は、複数のフレーム５を組合わせて構築した略方形状の装身具本体４と、該装身具本体４の内部に形成された内部装着空間６に装着可能なように外周形状を可能して形成された宝石類からなる装飾部７と、装飾部７とともに内部装着空間６の内部に挿入し、支持される金製の平板状のプレート部１２と、装身具本体４に取付けられる花をイメージして創作された第二装飾部１６と、装身具本体４の互いに対向するフレーム５に取設された一対の鎖接続部１７と、互いの鎖接続部１７同士の間を連結したチェーンとを具備して構成されている。【選択図】        図１
2006304829.tif 000002
【特許請求の範囲】
【請求項１】
宝石類または貴金属類を加工して形成された装飾部と、
略棒状の複数のフレームを曲折または接合し、略方形状に構築するとともに、前記装飾部の外周形状の一部と略一致する内周形状を有する挿入口部から前記装飾部を挿入し、内部装着空間に前記装飾部を収容可能な装身具本体と、
前記装身具本体の前記フレームに取設された回動支持部、及び前記回動支持部に回動自在に連結され、前記挿入口部の少なくとも一部を横切るように突出した保持位置、及び前記挿入口部から離間した離間位置の間で変位可能な回動フレームを有するフレーム回動機構部と、
前記保持位置にある前記回動フレームの回動フレーム端と接続し、前記回動フレームの回動を規制し、前記内部装着空間に収容された前記装飾部を保持するフレーム保持機構部と、
前記装身具本体の少なくとも一面に装着される第二装飾部と
を具備することを特徴とする装身具。
【請求項２】
前記第二装飾部は、
裏面から突設され、前記回動フレームの貫挿される貫挿孔部を有する取付部を具備し、前記回動フレームを前記保持位置に保持することによって前記装身具本体に装着されることを特徴とする請求項１に記載の装身具。
【請求項３】
一対の前記フレーム回動機構部及び前記フレーム保持機構部が互いに対向して前記装身具本体に取設され、
前記フレーム回動機構部の前記回動フレームのフレーム長手方向に直交して互いの前記回動フレームの一部と連結され、いずれか一方の前記回動フレームの回動動作に応じ、いずれか他方の前記回動フレームを連動して回動させる連動フレームをさらに具備することを特徴とする請求項１または請求項２に記載の装身具。
【請求項４】
前記装飾部の少なくとも一部の表面に穿設され、人または愛玩動物の身体組織を収容可能な収容空間が形成された収容孔部と、
前記身体組織が収容された前記収容孔部を閉塞する閉塞手段と
をさらに具備することを特徴とする請求項１乃至請求項３のいずれか一つに記載の装身具。
【請求項５】
前記身体組織、または使用者に関連する文字、写真、イラスト、または図面を含む関連者情報が彫刻された平板状のプレート部と、
互いに対向する一対の前記フレームの前記内部装着空間に面する側に各々形成され、前記挿入口部から挿入される前記プレート部を支持する支持溝部と、
前記装身具本体の前記フレームに取設された第二回動支持部、及び前記回動支持部に回動自在に連結され、前記挿入口部の少なくとも一部を横切るように突出したプレート保持位置、及び前記挿入口部から離間したプレート離間位置の間で変位可能な第二回動フレームを有する第二フレーム回動機構部と、
前記プレート保持位置にある前記第二回動フレームの回動フレーム端と接続し、前記第二回動フレームの回動を規制し、前記内部装着空間の前記支持溝部に支持された前記プレート部を保持するプレート保持機構部と
をさらに具備することを特徴とする請求項１乃至請求項４のいずれか一つに記載の装身具。
【発明の詳細な説明】
【技術分野】
【０００１】
本発明は、装身具に関するものであり、特に宝石類や貴金属類からなる装飾部を、ペンダントヘッド等の装身具本体に確実に装着することが可能であるとともに、装飾部の内部に身体組織の一部等を収容することが可能な装身具に関するものである。
【背景技術】
【０００２】
従来から、真珠、ダイヤモンド、ルビー、エメラルド、サファイア等の宝石類、或いは金、銀、及びプラチナ等の貴金属類は、その美しい輝きと希少性等から指輪、ネックレス、ペンダント等の種々の装飾品（装身具）に古来より加工され、特に女性を美しく着飾る一つのものとして用いられている。
【０００３】
さらに、これらのネックレスや指輪等の装身具の中には、使用者が常に肌身離さず身に付けている結婚指輪などのケースも多くある。また、家族や恋人等の大切な人の写真をペンダントの内部に収容し、上述のように常に身近に置くようにすることも行われている。また、本願出願人は、既に、宝石類等の装飾部の表面に、例えば、略円筒形状の小孔を設け、形成された空間に肉親等の遺灰や毛髪等の身体組織の一部を収容し、開口部を蓋によって密閉したり、或いは耐水性の樹脂を収容空間に封入し、硬化させることによって、身体組織の一部を常に身に付けることの可能な装身具、或いは、金属製の指輪等のアクセサリの一部に同様の収容空間を設け、身体組織等を収容するもの、さらに収容した身体組織に関連する情報（氏名、住所、生年月日、血液型、本人の写真等）を金属表面に彫刻した装身具も提案している（例えば、特許文献１または特許文献２参照）。
【０００４】
これにより、複数の爪や接着剤で宝石類等の装飾部を台座に固定していた従来の装身具に比べ、装飾部を確実に装身具本体に保持することができるとともに、大切な人の思いを感じることができる毛髪等を、耐水性を有する装身具によって常に身につけることができる。これにより、亡くなった肉親等を敬い、念じる気持ちを常に持ち続けることが可能となり、「お墓」のようなものを携帯することができるようになる。
【０００５】
さらに、内部に収容する身体組織及び表面に彫刻する関連情報を、装身具を使用する本人のものとすることにより、万が一、大地震等の災害に遭遇した場合であっても金属に刻み込まれた個人情報等、または収容された身体組織から得られる遺伝情報から身元の確認を容易にすることが可能となる。
【０００６】
【特許文献１】実用新案登録第３１０１０６６号
【特許文献２】実用新案登録第３１０３６４２号
【発明の開示】
【発明が解決しようとする課題】
【０００７】
しかしながら、上述した一般的なイヤリングや指輪等の装身具は、金属製の台座の上に配置された宝石類を複数の爪を曲折して固定したり、宝石類と台座との間に接着剤を用いて固定することが行われていた。しかしながら、これらの従来からの固定方法は、通常の使用によって生じる負荷により、爪の一部が欠落し、宝石類を保持する力が低下したり、宝石類と台座との間の接着剤の接着力が低下することによって、最悪の場合、宝石類が台座から外れてしまうことがあった。
【０００８】
一方、本願出願人が提案した装身具は、上述した宝石類等の装飾部の脱落の可能性を低減し、装飾部を確実に保持することができた。しかしながら、特に身体組織を収容した装身具は、一度デザインを決定し、使用を開始した後は容易に変更することができなかった。そのため、装身具のデザインを選定する場合には、長期的な使用によっても飽きを感じることの少ない、オーソドックスなデザインのものが好まれる傾向が強かった。また、金属製の材料に直接彫刻される関連情報は、その表面を再び研磨して平滑化するまで彫刻された内容（関連情報）を変更することができず、常に同じ内容を保持していた。しかしながら、例えば、子供の顔写真や名前等を彫刻した場合、新しい子供が誕生したことによって、その彫刻される情報等を容易に変更することが困難な場合もあった。
【０００９】
また、特に、女性にとって装身具のようなアクセサリは、ＴＰＯに応じ、また着用する衣服の色に応じて適宜選択するものであり、上述した一つのデザインからなる装身具を常に身に付けることに躊躇を感じることもあった。
【００１０】
そこで、本発明は、上記実情に鑑み、身体組織の一部等が収容された装飾部を装身具本体に対して脱着可能に形成し、装身具本体のデザインを容易に変更可能にし、さらに使用者本人の氏名等の関連情報の記載されたプレート部の脱着が容易な装身具の提供を課題とするものである。
【課題を解決するための手段】
【００１１】
上記の課題を解決するため、本発明の装身具は、「宝石類または貴金属類を加工して形成された装飾部と、略棒状の複数のフレームを曲折または接合し、略方形状に構築するとともに、前記装飾部の外周形状の一部と略一致する内周形状を有する挿入口部から前記装飾部を挿入し、内部装着空間に前記装飾部を収容可能な装身具本体と、前記装身具本体の前記フレームに取設された回動支持部、及び前記回動支持部に回動自在に連結され、前記挿入口部の少なくとも一部を横切るように突出した保持位置、及び前記挿入口部から離間した離間位置の間で変位可能な回動フレームを有するフレーム回動機構部と、前記保持位置にある前記回動フレームの回動フレーム端と接続し、前記回動フレームの回動を規制し、前記内部装着空間に収容された前記装飾部を保持するフレーム保持機構部と、前記装身具本体の少なくとも一面に装着される第二装飾部と」を主に具備して構成されている。
【００１２】
ここで、装身具とは、例えば、ペンダント、ブローチ、指輪（リング）、キーホルダー、ネックレス、及びイヤリング等の主として女性が身につける宝石類及び貴金属類を利用した装飾品のことであり、さらに装身具本体とは、これらの装飾品に宝石類等を装着する前の指輪本体やペンダントヘッド等の金属製の台座等が相当する。
【００１３】
一方、装飾部とは、例えば、非金属の鉱物等で色彩及び光沢等が特に優れるものであり、ダイヤモンド、エメラルド、サファイヤ、ルビー、ガーネット、琥珀、象牙、真珠等の宝石類が主に相当する。また、希少性の高い金、白金、チタン、及び銀等の貴金属類を含むものであってもよい。さらに、これらの装飾部の中には、天然から産出される鉱物等以外であっても、例えば、キュービックジルコニアのように人工的に合成される人工宝石のようなものを含むものであっても構わない。
【００１４】
さらに、第二装飾部は、例えば、花や草木等、或いは動物等を模した種々の外観形状に構築することが可能であり、略方形状に構築された装身具本体の少なくとも一面を被覆するように装着することにより、装身具全体のデザイン性を豊かなものとすることが可能となる。なお、第二装飾部の一例を挙げると、全体を金または銀等の貴金属類で構成し、その一部にダイヤモンド等の宝石類を取付けたものであってもよい。
【００１５】
したがって、本発明の装身具によれば、ダイヤモンド、ルビー、及びサファイヤ等の宝石類または貴金属類からなる装飾部が、複数のフレームを用いて構築された装身具本体の内部装着空間に装着される。このとき、装身具本体は、略方形状に形成され、方形状の各々の辺に相当する部分が略棒状のフレームが利用されている。そのため、装身具本体の内部装着空間に装着された装飾部の大部分の外観表面は、外部から直接視認することが可能となる。そのため、装飾部の美観性を損なうことがほとんどない。さらに、構築された装身具本体の内部装着空間は、装飾部の外周形状に略一致するよう内周形状を有している。そのため、装着された装飾部の外表面の一部は、装身具本体の複数のフレームと接触し、内部装着空間における移動が規制される。そして、フレーム回動機構部及びフレーム保持機構部によって、回動フレームが装着位置に保持されることにより、装着状態が維持される。このとき、回動フレームは、内部装着空間に挿入し、装着される装飾部の挿入口を横切るようにしてフレーム保持機構部に保持されるため、係る状態では装身具本体からの脱着が規制される。
【００１６】
その結果、宝石類からなり、本来の美しい輝きを有する装飾部を装身具本体に強固に固定することが可能となる。また、フレーム保持機構部を解除し、回動フレームを解除位置に位置するように回動させることにより、装身具本体の内部装着空間から容易に装飾部を取出すことが可能となる。これにより、一つの装飾部に対して、複数の装身具本体を揃えることにより、ＴＰＯに応じたデザインの装身具にすることが可能となる。加えて、装身具本体に取設される第二装飾部によって、装身具全体の印象を大きく変更することが可能となる。
【００１７】
なお、装身具本体（フレーム）の材質は、特に限定されないが、例えば、金、銀、及びチタン等の貴金属類、或いはステンレスや真鍮等の金属類を用いることが可能である。これにより、装身具本体自体の強度を高め、装身具本体が内部に装着した装飾部を保護し、表面が傷つく等のおそれが少なくなる。
【００１８】
さらに、本発明の装身具は、上記構成に加え、「前記第二装飾部は、裏面から突設され、前記回動フレームの貫挿される貫挿孔部を有する取付部を具備し、前記フレーム保持機構部によって前記回動フレームを前記保持位置に保持することによって前記装身具本体に装着される」ものであっても構わない。
【００１９】
したがって、本発明の装身具によれば、装飾部を装身具本体の内部装着空間に保持する回動フレームを利用して、第二装飾部が装身具本体に取付けられる。これにより、回動フレームの保持位置にすることによって、第二装飾部が保持され、一方、回動フレームを離間位置にすることによって、第二装飾部を装身具本体から取り外すことが可能となる。これにより、装身具本体に新たな固定具を設けることなく、予め備えられているフレーム回動機構部及びフレーム保持機構部を利用することによって、装身具の肥大化及びコスト増を防ぐことが可能となる。なお、フレーム回動機構部及びフレーム保持機構部を互いに対向するフレームにそれぞれ取設し、略平行に配することにより、装着固定機構部に装着される第二装飾部の固定状態を強固にし、使用時等のがたつき等を防ぐことが可能となる。
【００２０】
さらに、本発明の装身具は、上記構成に加え、「一対の前記フレーム回動機構部及び前記フレーム保持機構部が互いに対向して前記装身具本体に取設され、前記フレーム回動機構部の前記回動フレームのフレーム長手方向に直交して互いの前記回動フレームの一部と連結され、いずれか一方の前記回動フレームの回動動作に応じ、いずれか他方の前記回動フレームを連動して回動させる連動フレーム」を具備するものであっても構わない。
【００２１】
したがって、本発明の装身具によれば、装身具本体に取設された一対のフレーム回動機構部及びフレーム保持部、さらに回動フレーム同士を連結した連動フレームによって、一方の回動フレームを動かす操作に連動し、他方の回動フレームを同様に動かすことが可能となる。その結果、上述の第二装飾部の取付部の貫挿孔部に回動フレームを貫挿する作業が容易に行えるようになる。
【００２２】
さらに、本発明の装身具は、上記構成に加え、「前記装飾部の少なくとも一部の表面に穿設され、人または愛玩動物の身体組織を収容可能な収容空間が形成された収容孔部と、前記身体組織が収容された前記収容孔部を閉塞する閉塞手段と」を具備するものであっても構わない。
【００２３】
したがって、本発明の装身具によれば、装飾部の収容空間に遺髪等の遺伝情報を有する身体組織の一部を収容することが可能となる。これにより、肉親等の大切な人を身近に感じながら装身具を着用することが可能となる。なお、収容される身体組織は、遺伝情報を必ずしも有する必要はなく、また人間以外の動物（犬などの愛玩動物）の身体組織の一部を収容するものであってもよい。また、閉塞手段は、装飾部内に収容された身体組織が、破損することなく、かつ水などの侵入を防ぐものであり、例えば、身体組織を収容した収容空間にシリコーン樹脂などの硬化性樹脂を充填し、樹脂層を形成するものや、装飾部に穿設された収容空間の開口部付近に雌ねじ部を形成し、雄ねじ部を形成した閉塞蓋と螺合させて閉塞するものであってもよい。
【００２４】
さらに、本発明の装身具は、上記構成に加え、「前記身体組織、または使用者に関連する文字、写真、イラスト、または図面を含む関連者情報が彫刻された平板状のプレート部と、互いに対向する一対の前記フレームの前記内部装着空間に面する側に各々形成され、前記挿入口部から挿入される前記プレート部を支持する支持溝部と、前記装身具本体の前記フレームに取設された第二回動支持部、及び前記回動支持部に回動自在に連結され、前記挿入口部の少なくとも一部を横切るように突出したプレート保持位置、及び前記挿入口部から離間したプレート離間位置の間で変位可能な第二回動フレームを有する第二フレーム回動機構部と、前記プレート保持位置にある前記第二回動フレームの回動フレーム端と接続し、前記第二回動フレームの回動を規制し、前記内部装着空間の前記支持溝部に支持された前記プレート部を保持するプレート保持機構部と」を具備するものであっても構わない。
【００２５】
ここで、関連者情報とは、文字、数字、記号等の文字情報、及び写真、画像等の図画情報のいずれであっても構わない。さらに、彫刻される情報も使用者等の氏名、名称、住所、血液型、人物の写真またはイラスト等の種々のものが想定される。さらに、これらは金属製のプレートに直接彫刻されるため、経時的な変化を受けることがほとんどなく、半永久的にその情報を保持することが可能となる。
【００２６】
したがって、本発明の装身具によれば、金属等の素材によって平板状に形成されたプレート部が内部装着空間に挿入される。このとき、互いに対向するフレームの内部装着空間に面した側には、それぞれ、プレート部が摺動して挿入されるように支持溝部（レール）が設けられている。これにより、プレート部は挿入方向を規制されながら、内部装着空間に収容されることになる。このとき、内部装着空間のその他の領域は、既に収容（または装着）された装飾部が占めている。さらに、第二回動フレーム機構部及びプレート保持機構部によって、関連性を有する文言等の情報が表面に彫刻されたプレート部が保持される。これにより、装身具の全体のデザイン性を高められ、また親しみのある文字や写真等により、装身具を使用する使用者の心に安らぎを与えることが可能となる。
【００２７】
加えて、使用者に関する情報を関連者情報に含めて記述することにより、例えば、災害時においての身元確認を容易に進めることができるようになる。特に、内部に収容した身体組織の一部が遺伝情報を有するものである場合、その遺伝情報を解析し、本人との照合をすることが可能となる。
【発明の効果】
【００２８】
本発明の効果として、装身具本体と装身具本体の内部装着空間に装着される装飾部とをフレーム回動機構部及びフレーム保持機構部によって確実に保持し、さらに該機構部による保持を解除することによって、容易に脱着させることができる。これにより、一つの装飾部と複数の装身具本体とを組合わせることが可能となる。さらに、装身具本体には、装身具の全体のデザイン性に影響を及ぼす第二装飾部が着脱可能に設けられている。そのため、第二装飾部のデザインを季節やＴＰＯに応じて容易に変更することができる。さらに、内部に身体組織の一部を収容することが可能であるため、肉親や恋人等の大切な人を常に身近に感じることができる。加えて、近年の土地問題等、或いは親元から離れて生活する都市生活者にとって、お墓を建立したり、彼岸や盆などの節目にお参りをすることが困難な状況にある場合、本発明の装身具をお墓の代替として捉え、常にお参りをする状況を送出することができる。さらに、プレート部に彫刻された関連者情報により、その気持ちを高めることができる。
【発明を実施するための最良の形態】
【００２９】
以下、本発明の一実施形態である装身具１について、図１乃至図６に基づいて説明する。ここで、図１は本実施形態の装身具１の構成を示す分解斜視図であり、図２は装身具１の構成を示す正面図であり、図３は装身具１の構成を示す正面図であり、図４は装身具１の構成を示す左側面図であり、図５は装身具１の構成を示すＡ−Ａ断面図であり、図６は回動フレーム２及び第二回動フレーム３の装身具本体４に対する回動の一例を示す説明図である。
【００３０】
本実施形態の装身具１は、図１乃至図６に示すように、複数のフレーム５を組み合わせることによって略方形状に構築された装身具本体４と、装身具本体４の内部にフレーム５によって囲まれて形成された内部装着空間６に装着可能なように外周形状を加工して形成された宝石類（ここでは、サファイアを使用）からなる装飾部７と、装飾部７を内部装着空間６に装着した状態に保持するための回動フレーム２を有するフレーム回動機構部８と、回動フレーム２の回動フレーム端を保持するフレーム保持機構部９と、装飾部７と共に内部装着空間６に挿入され、支持される金素材からなる平板状のプレート部１２と、プレート部１２を内部装着空間６に挿入し、支持した状態を保持するための第二回動フレーム３を有する第二フレーム回動機構部１３と、第二回動フレーム３の第二回動フレーム端１４と接続し、プレート部１２を内部装着空間６に装着し、保持するためのプレート保持機構部１５と、装身具本体４の正面（図３における紙面下方向に相当）に取付けられ、花木をイメージして創作された第二装飾部１６と、装身具本体４の互いに対向するフレーム５にそれぞれ取設された一対の鎖接続部１７と、鎖接続部１７の間を接続する首掛け用のチェーン１８とを具備して主に構成されている。なお、チェーン１８は、図１乃至図６において適宜図示を省略している（図２を除く。）。なお、鎖接続部１７は、二つの環部を有して形成され、その一方は上フレーム１９の一部が貫挿されている。ここで、鎖接続部１７を上フレーム１９の所定位置に保持するために、上フレーム１９のフレーム径よりも広径の止部（図示しない）を設けたものであってもよい。
【００３１】
さらに、詳細に説明すると、装身具本体４は、本体上面側に相当する箇所に形成された台形状の上フレーム１９と、該上フレーム１９と同一形状に形成され、上フレーム１９に対して所定距離だけ離間して配された下フレーム２０と、上フレーム１９及び下フレーム２０の間を連結する四本の連結フレーム２１と、装身具本体４の底面側に設けられ、上フレーム１９及び下フレーム２０を連結するとともに、上述したプレート部１２を摺動させながら内部装着空間６に挿入するための支持溝部２２が形成された一対の摺動フレーム２３と、互いの連結フレーム２１の間、或いは摺動フレーム２３の間を連結する補助フレーム２４とを具備して主に構成されている。
【００３２】
ここで、一対の摺動フレーム２３について、さらに詳述すると、プレート部１２を摺動させるための支持溝部２２は、それぞれ内部装着空間６に面するよう凹状の凹状の溝が取付けられている。すなわち、支持溝部２２は互いに対向するように配されている（図５参照）。これにより、支持溝部２２を摺動するプレート部１２は、上下方向（図３または図５における紙面上下方向に相当）への移動が規制された状態、換言すれば、内部装着空間６に挿入される方向が案内されることとなる。なお、プレート部１２のプレート厚は、当然のことながら支持溝部２２の凹みの幅よりも僅かに薄く形成されている。
【００３３】
このとき、前述したように、装身具本体４は、いずれか一つの側面（本実施形態では、図２における紙面上方向の面に相当）に内部装着空間６に収容し、装着される装飾部７と外周形状が略一致する内周形状を有し、内部装着空間６に連通した挿入口部２５が形成されている。なお、それ以外の側面は、前述した連結フレーム２１や補助フレーム２４等によって、装飾部７の挿脱ができないようになっている。そのため、装飾部７は内部装着空間６において、挿入口部２５以外の方向への移動が制限される。その結果、挿入口部２５を閉塞し、装飾部７の移動を規制することにより、係る装着状態を維持することができる。
【００３４】
そこで、本実施形態の装身具１は、上フレーム１９には、挿入口部２５を横切るように突出し、装飾部７の装着状態を維持するための保持位置Ｒ（図１参照）、及び挿入口部２５から離間した離間位置Ｈ（図６参照）の間で回動支持部２６を介して回動自在な回動フレーム２を有するフレーム回動機構部８が取付けられている。ここで、回動支持部２６は、上フレーム１９から突設された回動支持部２６に取付けられ、該回動支持部２６に回動フレーム２が支持されている。そして、係る回動フレーム２の回動フレーム端は、フレーム保持機構部９まで到達している。ここで、フレーム保持機構部９は、回動フレーム端を受けるための切欠き２８を有するフレーム受部２９と、切欠き２８を開放する開位置Ｏ及び閉じる閉位置Ｃ（図１及び図６等参照）の間で変化させるためにフレーム受部２９を略被覆するように取付けられた円筒状の操作部３０とを具備して構成されている。なお、フレーム受部２９及び操作部３０の間には、バネ（図示しない）が設けられ、操作部３０に所定の操作圧力以上が加えられない限り、開位置Ｏ及び閉位置Ｃの間で変化しないように形成されている。これにより、フレーム受部２９に対して操作部３０を閉位置Ｃに操作することにより、切欠き２８が操作部３０によって被覆され、保持位置Ｈにある回動フレーム２の回動が規制される。すなわち、係る状態では、挿入口部２５の一部を回動フレーム２が横切った状態となるため、内部装着空間６に収容された装飾部７の動きが規制される。一方、フレーム受部２９に対して操作部３０を開位置Ｏに操作することにより、切欠き２８が開放され、回動フレーム２の回動が自在に行える。これにより、離間位置Ｒ（図６参照）に回動フレーム２を回動させ、挿入口部２５から装飾部７を挿脱することが可能となる。
【００３５】
ここで、図１等に示されるように、上述したフレーム回動機構部８及びフレーム保持機構部９と同一の構成が装身具本体４の下フレーム２０側に取設されている。そして、回動フレーム２の回動支持部２６の近傍で、それぞれの回動フレーム２同士を連結し、かつ回動フレーム２のフレーム長手方向に直交するように配された連動フレーム３１によって連結されている。そのため、いずれか一方の回動フレーム２を回動させる操作を行うことによって、いずれか他方の回動フレーム２が係る操作に連動し、係る動きが行われる。なお、図１に示すように、第二装飾部１６は、裏面から突設され、棒状の回動フレーム２が貫挿される貫挿孔部３２を有する四本の取付部３３を具備している。これにより、図２及び図３等に示すように、一対の回動フレーム２を保持位置Ｈまで回動させる際に、第二装飾部１６の取付部３３の貫挿孔部３２に回動フレーム２を挿入し、さらに係る状態で保持位置Ｈまで回動させる。その後、フレーム保持機構部９を利用して回動フレーム２の回動フレーム端を保持する。これにより、前述した内部装着空間６への装飾部７の収容及び保持とともに、第二装飾部１６を装身具本体４の表面に固定させることができる。なお、、フレーム保持機構部９の操作部３０を開位置Ｏに操作し、回動フレーム２を離間位置Ｒまで回動させることにより、第二装飾部１６を容易に装身具本体４から取り外すこともできる。すなわち、一対のフレーム回動機構部８及びフレーム保持機構部９を、第二装飾部１６を装身具本体４に装着するための固定手段として機能させることができる。
【００３６】
なお、装身具本体４に取付けられる第二装飾部１６は、上述したように花木をイメージしてデザインされたものであり、花芯に相当する箇所に複数のダイヤ等の宝石３５が取付けられている。なお、第二装飾部１６の全体は、金素材からなり、彫金等の技術を利用して形成されている。
【００３７】
さらに、本実施形態の装身具１は、前述した装身具本体４の底面側に設けられた摺動フレーム２３に摺動されながら挿入されるプレート部１２を保持するための第二回動フレーム３を有する第二フレーム回動機構部１３と、第二回動フレーム３の第二回動フレーム端１４を接続し、内部装着空間６に摺動し、挿入されたプレート部１２を保持するためのプレート保持機構部１５とを具備して構成されている。なお、第二フレーム回動機構部１３及びプレート保持機構部１５は、前述したフレーム回動機構部８及びフレーム保持機構部９と略同一の構成を示すものであり、ここでは説明を省略する。なお、図６に示すように、フレーム保持機構部９の回動フレーム２の回動方向αに対し、第二回動フレーム３は、上述の回動方向αに対し、直交する回動方向βに回動するように設定されている。そして、第二回動フレーム３によって、摺動フレーム２３の支持溝部２２を閉塞した状態にすることができる。ここで、関連者情報４２とは、文字、数字、記号等の文字情報、及び写真、画像等の図画情報のいずれであっても構わない。さらに、彫刻される情報も使用者等の氏名、名称、住所、血液型、人物の写真またはイラスト等の種々のものが想定される。さらに、これらは金属製のプレートに直接彫刻されるため、経時的な変化を受けることがほとんどなく、半永久的にその情報を保持することができる。
【００３８】
また、内部装着空間６に装着される装飾部７は、表面から穿設され、使用者自身若しくは使用者と関連を有する人物の爪、毛髪、遺骨等の遺伝情報を有する身体組織３９を収容可能な収容孔部４０を有している。さらに、そして、係る収容孔部４０に収容された身体組織３９は、硬化性の樹脂４３等が充填され、閉塞されている。ここで、樹脂４３が本発明における閉塞手段に相当する。なお、装飾部７の収容孔部４０の開口付近に雌ねじを形成し、閉塞手段に相当する蓋部（図示しない）の雄ねじと螺合させることにより、収容孔部４０を閉塞するものであってもよい。
【００３９】
加えて、内部装着空間６に装飾部７とともに挿入し、支持されるプレート部１２は、その表面に装飾部７内に収容される身体組織３９（例えば、遺骨片など）に関に関連する関連者情報４２が刻まれている。ここで、関連者情報４２の中には、使用者自身の氏名、住所、血液型等の個人情報に関わるもの、或いは肉親等の写真をプレート部１２の表面に刻み込んだもの等が想定される。なお、金素材からなるプレート部１２の表面に刻まれた係る関連者情報４２は、経時変化を受けることなく、半永久的にその情報を保持することができる。
【００４０】
次に、本実施形態の装身具１の組立ての一例について、図１乃至図６に基づいてい説明する。ここで、前述したように、本実施形態の装身具１は、装身具本体４、装飾部７、プレート部１２、及び第二装飾部１６の四つの部材から主に構成され、個々に分離可能となっている。さらに、装身具本体４に取付けられた各フレーム回動機構部８，１３は、いずれも回動フレーム２または第二回動フレーム３が離間位置Ｒ、フレーム保持機構部９，１５は操作部３０を引出し、フレーム受部２９の切欠き２８が開放された開位置Ｏに設定され、挿入口部２５が開口した状態となっている（図１参照）。係る状態で、挿入口部２５から内部装着空間６に装飾部７を徐々に挿入し、収容する。
【００４１】
同様に、装飾部７の収容孔部４０に収容し、樹脂４３によって該収容孔部４０に収容された身体組織３９に関連する関連者情報４２が表面に刻み込まれた金製のプレート部１２を開口した挿入口部２５から支持溝部２２に沿って挿入する。このとき、互いに対向した支持溝部２２によって、挿入方向が規制されているため、挿入作業を容易にすることができる。その後、内部装着空間６に装飾部７及びプレート部１２が収容または挿入された状態を、フレーム回動機構部８，１３の回動フレーム２または第二回動フレーム３によって保持するようにする。具体的には、離間位置Ｒにある回動フレーム２及び第二回動フレーム３を、回動支持部２６を軸として回動させる（図６における回動方向αまたは回動方向β）。これより、回動フレーム２の回動フレーム端１０はフレーム保持機構部９のフレーム受部２９に到達する。
【００４２】
このとき、一方の回動フレーム２に対し、他方の回動フレーム２も互いに連動するように、連動フレーム３１が設けられている。そのため、上述の回動フレーム２の一方を把持し、回動操作を行うことにより、他方の回動フレーム２も同様に回動する。ここで、係る回動操作を行う前に、本実施形態の装身具１は、取付部３３の貫挿孔部３２に上述の回動フレーム２が貫挿されるように予め挿入しておく。これにより、回動フレーム２の回動操作によって、装身具本体４の表面近傍から離れて存在していた第二装飾部１６が装身具本体４の表面にほぼ近接するようになる。さらに、互いの回動フレーム２を確実にフレーム受部２９まで到達させると、開位置Ｏにあったフレーム保持機構部９の操作部３０を操作し、開位置Ｏから閉位置Ｃに変更する。具体的には、操作部３０を装身具１側に少し押込むことにより、円筒形状の操作部がフレーム受部２９の切欠き２８が閉塞され、閉位置Ｃになる。これにより、回動フレーム端（図示しない）がフレーム保持機構部９に保持される。その結果、回動フレーム２によって挿入口部２５の一部を横切るような状態が創出される。すなわち、フレーム回動機構部８によって回動フレーム２が保持位置Ｈに固定される。その結果、内部装着空間６に装着された装飾部７の移動が規制され、装着状態が保持される。また、一対のフレーム回動機構部８及びフレーム保持機構部９によって、第二装飾部１６を同時に装身具本体４に固定することができる。
【００４３】
さらに、プレート部１２が挿入された挿入口部２５の近傍（支持溝部２２の近傍に相当）にそれぞれ設けられた第二フレーム回動機構部１３及びプレート保持機構部１５を利用して内部装着空間６の中にプレート部１２を保持する。なお、具体的な操作は、上述したフレーム回動機構部８及びフレーム保持機構部９の操作と略同一であるため、ここでは詳細な説明は省略する。すなわち、離間位置Ｒにある第二回動フレーム３を所定方向（回動方向β）に回動し、フレーム受部２９まで第二回動フレーム端１４を到達させ、操作部３０を操作し、プレート保持機構部１５を閉位置Ｃに変更する。これにより、挿入口部２５の摺動フレーム２３の支持溝部２２付近が閉塞される。その結果、プレート部１２が挿入口部２５から飛出すことがなくなる。これにより、内部装着空間６に収容または挿入された装飾部７及びプレート部１２が、それぞれの回動フレーム２，３等によって挿入口部２５の一部を閉塞することにより、収容または挿入状態が維持されることになる。これにより、装身具１の組立てが完成する。なお、鎖接続部１７にチェーン１８を連結する手順は、周知の手法を用いることが可能であるため、ここでは説明を省略する。
【００４４】
以上説明したように、本実施形態の装身具１は、個々の分離可能に形成され、装身具本体４の内部に宝石類からなる装飾部７及び金素材からなるプレート部１２を装着し、かつ装身具本体４の表面に第二装飾部１６を容易に取付けることができる。これにより、装身具１の全体のデザインを変更することが容易となる。特に、装飾部７の内部には、遺灰や毛髪等の身体組織３９の一部が収容されており、使用者は常に身に付けていることを望んでいる。そのため、装飾部７のみを取り出し、外観に主たる影響を与える第二装飾部１６または装身具本体４を任意に変更することにより、同一の装飾部７に対して複数のデザインの装身具１を形成することが可能となる。その結果、種々の状況に適した装身具１として使用することが可能となり、使用者は肌身離さず、装飾部７を保持することができる。加えて、装飾部７とともに使用者または身体組織３９に関連する関連者情報４２が刻まれたプレート部１２が挿入されるため、使用者はさらに装身具１を身近に感じることができる。例えば、内部に収容される身体組織３９の一部が肉親の遺骨や遺灰の一部であり、プレート部１２に記述される関連者情報４２が肉親の氏名やその顔を写真化したものである場合、建立するお墓の代替として本実施形態の装身具１を使用することができる。そして、携帯が可能なため、故人を思う気持ちを常に持ち続けることができる。
【００４５】
一方、内部に収容する身体組織３９の一部を、使用者自身或いは配偶者や恋人のものとし、プレート部１２に記述される関連者情報４２も該使用者等のものとすることにより、遠隔地で離れて生活する家族や恋人を思うことができるようになる。また、使用者自身の身体組織３９の一部を収容した場合、万が一、地震等の災害に被災したケースであっても身元確認の一手段として用いることが可能となる。
【００４６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４７】
すなわち、本実施形態の装身具１において、花木をデザインした第二装飾部１６を用いるものを例示したが、勿論これに限定されるものではなく、装身具１の全体のデザイン性に影響を及ぼす種々のデザインのものを採用することが可能である。また、閉塞手段として身体組織３９が収容された収容孔部４０に硬化性の樹脂４３を充填するものを示したがこれに限定されるものではなく、その他の蓋部等の部材を用いて閉塞するものであっても構わない。また、収容される身体組織３９の一部は、人間に限られるものではなく、例えば、ペットとして飼っていた犬や猫などの骨等の一部であってもよい。
【図面の簡単な説明】
【００４８】
【図１】装身具の構成を示す分解斜視図である。
【図２】装身具の構成を示す正面図である。
【図３】装身具の構成を示す平面図である。
【図４】装身具の構成を示す左側面図である。
【図５】装身具の構成を示すＡ−Ａ断面図である。
【図６】回動フレーム及び第二回動フレームの回動の様子を示す説明図である。
【符号の説明】
【００４９】
１  装身具
２  回動フレーム
３  第二回動フレーム
４  装身具本体
５  フレーム
６  内部装着空間
７  装飾部
８  フレーム回動機構部
９  フレーム保持機構部
１２  プレート部
１３  第二フレーム回動機構部
１４  第二回動フレーム端
１５  プレート保持機構部
１６  第二装飾部
３１  連動フレーム
３２  貫挿孔部
３３  取付部
３５  宝石
３９  身体組織
４０  収容孔部
４２  関連者情報
４３  樹脂（閉塞手段）
Ｃ  閉位置
Ｈ  保持位置
Ｏ  開位置
Ｒ  離間位置
【図１】
2006304829.tif 000003
【図２】
2006304829.tif 000004
【図３】
2006304829.tif 000005
【図４】
2006304829.tif 000006
【図５】
2006304829.tif 000007
【図６】
2006304829.tif 000008